【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に少なくとも部分的に配置され、薬物の用量を含む薬物容器と、
針に連結された先端部を有するキャリアであって、前記キャリアの前記先端部は、その中に前記薬物容器の先端部が移動可能に連結される連結容積を規定する側壁を含み、前記薬物容器は、前記薬物容器の前記先端部が前記連結容積内の第１容器位置にあるときに前記針の基端から流体的に隔離され、前記薬物容器の前記先端部が前記連結容積内の第２容器位置にあるときに前記針の前記基端に流体的に連結され、前記側壁は、前記キャリアの外側の容積と流体連通するように前記連結容積を配置するブリード通路を規定する、キャリアと、
前記ハウジング内のエネルギー貯蔵部材であって、前記第１容器位置から前記第２容器位置に前記薬物容器を移動させる力を発生するように構成されたエネルギー貯蔵部材と、を備える装置。
【請求項２】
前記薬物の用量がエピネフリンの用量を含む、請求項１に記載の装置。
【請求項３】
前記エピネフリンの用量が、アナフィラキシーを経験し且つ１５ｋｇ未満の体重を有する患者に投与するための有効用量のエピネフリンを含む、請求項２に記載の装置。
【請求項４】
前記エピネフリンの用量が０．１０ｍｌの溶液の公称値を有し、
前記キャリアが、エピネフリンの送達用量が０．０８５ｍｌから０．１１５ｍｌの間であるように構成される、請求項２に記載の装置。
【請求項５】
前記側壁が、前記ブリード通路を規定する環状突起を含み、前記ブリード通路は、前記連結容積から前記キャリアの基端部に向かって延在する、請求項１に記載の装置。
【請求項６】
前記環状突起は、前記側壁周りに周方向に配置された複数のブリード通路を含み、前記ブリード通路は、前記複数のブリード通路のうちの１つである、請求項５に記載の装置。
【請求項７】
前記エネルギー貯蔵部材は、ばね、圧縮ガス容器又は推進容器のうちのいずれか１つである、請求項１に記載の装置。
【請求項８】
前記針は、前記ハウジング内の第１針位置から、前記ハウジングの外側に少なくとも部分的に延在する第２針位置まで移動するように構成される、請求項１に記載の装置。
【請求項９】
前記エネルギー貯蔵部材を作動させて前記力を解放するように構成されたアクチュエータをさらに備える、請求項１に記載の装置。
【請求項１０】
前記アクチュエータが、前記ハウジングの戻り止め部と嵌合して係合するように構成された戻り止め部を含み、前記アクチュエータの前記戻り止め部及び前記ハウジングの前記戻り止め部が、前記アクチュエータの解放力が前記アクチュエータに加えられると、前記アクチュエータが前記ハウジングに対して移動するように構成される、請求項９に記載の装置。
【請求項１１】
前記薬物の用量が、約０．０６ｍｇのエピネフリンから約０．１５０ｍｇのエピネフリンを含む、請求項１に記載の装置。
【請求項１２】
前記力の一部が、前記薬物容器が前記第２容器位置にあるとき、前記薬物の用量を放出するために前記薬物容器内でプランジャを移動させるように作用される、請求項１に記載の装置。
【請求項１３】
前記力の一部が、前記薬物容器が前記第２容器位置にあるとき、前記薬物の用量を放出するためにプランジャ距離だけ前記薬物容器内で前記プランジャを移動させるように作用され、
前記薬物容器が、前記キャリアを介して前記針に連結され、前記キャリアの解放部が、前記プランジャが前記プランジャ距離を移動した後に前記力の前記一部を解放するように構成される、請求項１２に記載の装置。
【請求項１４】
ハウジングと、
前記ハウジング内に少なくとも部分的に配置された薬物容器であって、前記薬物容器が、キャリアを介して針に連結され、前記キャリアが、連結容積内に前記薬物容器の先端部を保持するように構成され、前記キャリアの保持部が、前記連結容積内の第１容器位置において前記薬物容器の前記先端部を保持するように構成され、前記薬物容器の前記先端部が、前記薬物容器が前記第１容器位置にあるときに前記針の基端先端から流体的に隔離され、前記薬物容器の前記先端部が、作動力に応答して前記連結容積内の第２容器位置に移動するように構成され、前記薬物容器の前記先端部が、前記薬物容器が前記第２容器位置にあるときに前記針の前記基端先端に流体的に連結され、前記保持部が、前記連結容積から前記キャリアの端部に向かうブリード通路を規定する環状突起を含む、薬物容器と、
前記ハウジング内のエネルギー貯蔵部材であって、前記第１容器位置から前記第２容器位置まで前記薬物容器を移動させるための前記作動力を発生するように構成されたエネルギー貯蔵部材と、
前記作動力を解放するために前記エネルギー貯蔵部材を作動させるように構成されたアクチュエータと、を備える装置。
【請求項１５】
前記アクチュエータは、前記ハウジングの先端部に連結され、前記エネルギー貯蔵部材を作動させるために前記ハウジングに対して移動するように構成される、請求項１４に記載の装置。
【請求項１６】
前記アクチュエータが、前記ハウジングの前記先端部の戻り止め凹部に嵌合して係合するように構成された戻り止め突起を含み、前記アクチュエータの前記戻り止め突起及び前記ハウジングの前記戻り止め凹部が、前記アクチュエータの解放力が前記アクチュエータに加えられると、前記アクチュエータが前記ハウジングに対して移動するように構成される、請求項１５に記載の装置。
【請求項１７】
前記薬物容器が、約０．３ｍｇのエピネフリンを含む少なくとも０．３ｍｌの溶液を含み、
前記作用力の一部が、前記薬物容器が前記第２容器位置にあるとき、前記針を介して前記エピネフリンの用量を放出するためにプランジャ距離だけ前記薬物容器内でプランジャを移動させるように作用され、前記エピネフリンの用量が約０．０６ｍｌから約０．１５０ｍｌの前記溶液である、請求項１４に記載の装置。
【請求項１８】
ハウジングと、
前記ハウジング内に少なくとも部分的に配置された薬物容器であって、患者への投与のための薬物の用量を含む薬物容器と、
針に連結された先端部を有するキャリアであって、前記先端部が、その中に前記薬物容器の先端部が移動可能に連結される連結容積を規定する側壁を含み、前記薬物容器が、前記薬物容器の先端部が前記連結容積内の第１容器位置にあるときに前記針の基端先端から流体的に隔離され、前記薬物容器が、前記薬物容器の前記先端部が前記連結容積内の第２容器位置にあるときに前記針の前記基端先端に流体的に連結され、前記側壁が、前記連結容積の外側にブリード通路を規定する、キャリアと、
前記ハウジング内のエネルギー貯蔵部材であって、第１容器位置から第２容器位置に前記薬物容器を移動させる力を発生するように構成され、前記力の一部が、前記薬物容器が前記第２容器位置にあるときに前記薬物の用量を放出するように前記薬物容器内のプランジャを移動させるように作用される、エネルギー貯蔵部材と、を備える装置。
【請求項１９】
前記側壁は、前記側壁周りに周方向に配置された複数のブリード通路を規定し、前記ブリード通路は、前記複数のブリード通路のうちの１つである、請求項１８に記載の装置。
【請求項２０】
前記エネルギー貯蔵部材は、ばね、圧縮ガス容器又は推進容器のうちのいずれか１つである、請求項１８に記載の装置。
【請求項２１】
前記薬物の用量がエピネフリンの用量を含む、請求項１８に記載の装置。
【請求項２２】
前記針は、前記ハウジング内の第１針位置から、前記ハウジングの外側に少なくとも部分的に延在する第２針位置まで移動するように構成される、請求項１８に記載の装置。